(57)【要約】【課題】認識した記号と付加情報との対応を自由に設定することができる撮像装置を提供する。【解決手段】  ＣＣＤ３が、被写体を撮像して画像データを出力する。ＣＰＵブロック５Ｃが、画像データを記録媒体に記録する。ＲＡＭ１９内には、複数のカメラメモデータが格納されている。ＣＰＵブロック５Ｃが、記号認識モード時にＣＣＤ３により出力されたバーコード画像に含まれる記号を認識し、複数のカメラメモデータのうち認識された記号に対応するカメラメモデータを撮影モード時にＣＣＤ３により出力された画像データに付加する。操作Ｋｅｙユニット７では、バーコード画像に含まれる記号とカメラメモデータとの対応付けを設定するための操作が行われる。ＣＰＵブロック５Ｃは、操作Ｋｅｙユニット７の操作に応じて上記対応付けを設定する。【選択図】図１
2008078817.tif 000002
【特許請求の範囲】
【請求項１】
被写体を撮像して画像データを出力する撮像手段と、前記画像データを記録媒体に記録する記録手段と、複数の付加情報を格納する付加情報格納手段と、記号認識モード時に前記撮像手段により出力された画像データに含まれる記号を認識する記号認識手段と、前記複数の付加情報のうち前記記号認識手段により認識された記号に対応する付加情報を撮影モード時に前記撮影手段により出力された画像データに付加する付加手段と、を備えた撮像装置において、
前記画像データに含まれる記号と前記付加情報との対応付けを設定するための操作が行われる設定操作手段を備え、そして、
前記設定操作手段の操作に応じて前記対応付けを設定する設定手段が備えられている
ことを特徴とする撮像装置。
【請求項２】
前記付加情報格納手段が、前記複数の付加情報を複数の項目に分類して格納するものを有し、そして、
前記設定手段が、画像データに含まれる記号と前記設定操作手段の操作により各項目毎に選択された付加情報とを対応付けて設定するものを有する
ことを特徴とする請求項１記載の撮像装置。
【請求項３】
前記設定手段が、前記複数の項目を表示手段上に並べて表示する第１表示制御手段と、前記設定操作手段の操作により前記複数の項目の一つが選択されると、該選択された項目を構成する付加情報を表示手段上に並べて表示する第２表示制御手段と、を有することを特徴とする請求項２記載の撮像装置。
【請求項４】
前記付加情報格納手段が、外部入力端子から前記複数の付加情報を入力して格納するものであることを特徴とする請求項１〜３何れか１項記載の撮像装置。
【請求項５】
前記複数の付加情報を入力する操作が行われる入力操作手段を有し、そして、
前記付加情報格納手段が、前記入力操作手段の操作によって入力された複数の付加情報を格納するものである
ことを特徴とする請求項１〜４何れか１項記載の撮像装置。
【請求項６】
前記複数の付加情報が、テキストデータであることを特徴とする請求項１〜５何れか１項記載の撮像装置。
【請求項７】
撮影毎に毎回前記付加情報を付加するか否かの設定を行うか、撮影毎に毎回前記付加情報を付加するか、いずれかを選択するための操作が行われる選択操作手段を
有することを特徴とする請求項１〜６何れか１項記載の撮像装置。
【発明の詳細な説明】
【技術分野】
【０００１】
本発明は、例えば、被写体を撮像して画像データを出力する撮像手段と、前記画像データを記録媒体に記録する記録手段と、複数の付加情報を格納する付加情報格納手段と、記号認識モード時に前記撮像手段により出力された画像データに含まれる記号を認識する記号認識手段と、前記複数の付加情報のうち前記記号認識手段により認識された記号に対応する付加情報を撮影モード時に前記撮影手段により出力された画像データに付加する付加手段と、を備えた撮像装置に関するものである。
【背景技術】
【０００２】
近年、デジタルスチルカメラ（撮像装置）の撮影方法として、撮影した画像データに様々な付加情報を付加して記録する方式が提案されている（特許文献１）。画像データに付加された付加情報は、パーソナルコンピュータ（ＰＣ）などに転送して、様々な後処理を行うための情報として利用される。また、付加情報としては、ユーザーが事前に設定した文字列情報や、デジタルスチルカメラで記録される音声情報や、デジタルスチルカメラで一時的に入力された情報などが存在し、デジタルスチルカメラでその情報を一元的に表示したり、自由に検索設定することによって、ユーザーの操作性を向上することも可能になっている。
【０００３】
また、上記の付加情報の中には、デジタルスチルカメラに必ず存在するＣＣＤなどの撮像手段を使用して例えばバーコード画像に含まれる記号の認識を実行し、事前に登録されている複数の文字列情報（付加情報）のうち認識した記号に対応する文字列情報を画像データに付加して記録する方式が提案されている。
【０００４】
従来のデジタルスチルカメラでは、認識した記号と文字列情報との対応が事前に登録されていて、その対応付けを自由に設定することができないという問題があった。しかしながら、ユーザーの運用方法は様々であり、認識した記号と文字列情報との対応を自由に設定したいという要望があった。
【特許文献１】特開２００２−１５８９５３号公報
【発明の開示】
【発明が解決しようとする課題】
【０００５】
そこで、本発明は、上記のような問題点に着目し、画像データに含まれる記号と付加情報との対応を自由に設定することができる撮像装置を提供することを課題とする。
【課題を解決するための手段】
【０００６】
上述した課題を解決するためになされた請求項１記載の発明は、被写体を撮像して画像データを出力する撮像手段と、前記画像データを記録媒体に記録する記録手段と、複数の付加情報を格納する付加情報格納手段と、記号認識モード時に前記撮像手段により出力された画像データに含まれる記号を認識する記号認識手段と、前記複数の付加情報のうち前記記号認識手段により認識された記号に対応する付加情報を撮影モード時に前記撮影手段により出力された画像データに付加する付加手段と、を備えた撮像装置において、前記画像データに含まれる記号と前記付加情報との対応付けを設定するための操作が行われる設定操作手段を備え、そして、前記設定操作手段の操作に応じて前記対応付けを設定する設定手段が備えられていることを特徴とする撮像装置に存する。
【０００７】
請求項２記載の発明は、前記付加情報格納手段が、前記複数の付加情報を複数の項目に分類して格納するものを有し、そして、前記設定手段が、画像データに含まれる記号と前記設定操作手段の操作により各項目毎に選択された付加情報とを対応付けて設定するものを有することを特徴とする請求項１記載の撮像装置に存する。
【０００８】
請求項３記載の発明は、前記設定手段が、前記複数の項目を表示手段上に並べて表示する第１表示制御手段と、前記設定操作手段の操作により前記複数の項目の一つが選択されると、該選択された項目を構成する付加情報を表示手段上に並べて表示する第２表示制御手段と、を有することを特徴とする請求項２記載の撮像装置に存する。
【０００９】
請求項４記載の発明は、前記付加情報格納手段が、外部入力端子から前記複数の付加情報を入力して格納するものであることを特徴とする請求項１〜３何れか１項記載の撮像装置に存する。
【００１０】
請求項５記載の発明は、前記複数の付加情報を入力する操作が行われる入力操作手段を有し、そして、前記付加情報格納手段が、前記入力操作手段の操作によって入力された複数の付加情報を格納するものであることを特徴とする請求項１〜４何れか１項記載の撮像装置に存する。
【００１１】
請求項６記載の発明は、前記複数の付加情報が、テキストデータであることを特徴とする請求項１〜５何れか１項記載の撮像装置に存する。
【００１２】
請求項７記載の発明は、撮影毎に毎回前記付加情報を付加するか否かの設定を行うか、撮影毎に毎回前記付加情報を付加するか、いずれかを選択するための操作が行われる選択操作手段を有することを特徴とする請求項１〜６何れか１項記載の撮像装置に存する。
【発明の効果】
【００１３】
請求項１記載の発明によれば、設定手段が設定操作手段の操作に応じて画像データに含まれる記号と付加情報との対応付けを設定するので、画像データに含まれる記号と付加情報との対応を自由に設定することができる。
【００１４】
請求項２記載の発明によれば、設定手段が画像データに含まれる記号と設定操作手段の操作により各項目毎に選択された付加情報とを対応付けて設定するので、複数の項目毎に付加情報を選択することができ簡単な操作で画像データに含まれる記号と付加情報との対応を設定することができる。
【００１５】
請求項３記載の発明によれば、設定手段において第１表示制御手段が複数の項目を表示手段上に並べて表示し、第２表示制御手段が選択された項目を構成する付加情報を表示手段上に並べて表示するので、より一層、簡単な操作で画像データに含まれる記号と付加情報との対応を設定することができる。
【００１６】
請求項４記載の発明によれば、付加情報格納手段が外部入力端子からの複数の付加情報を入力して格納するので、ＰＣなどを使って簡単に付加情報を入力することができる。
【００１７】
請求項５記載の発明によれば、付加情報格納手段が入力操作手段の操作によって入力された複数の付加情報を格納するものであるので、入力操作手段の操作によってＰＣなどの外部機器を使わずに付加情報を入力することができる。
【００１８】
請求項６記載の発明によれば、付加情報がテキストデータであるので、特別なアプリケーションを必要とせずに簡単に付加情報を入力することができる。
【００１９】
請求項７記載の発明によれば、選択操作手段によって撮影毎に毎回付加情報を付加するか否かの設定を行うか、撮影毎に毎回付加情報を付加するか、いずれかを選択することができる。
【発明を実施するための最良の形態】
【００２０】
以下、本発明の実施形態を、図面に基づいて説明する。図１は、本発明の撮像装置としてのデジタルスチルカメラ１の一実施形態を示すブロック図である。同図に示すように、デジタルスチルカメラ１は、鏡胴ユニット２、ＣＣＤ３、Ｆ／ＥＩＣ４、デジタルスチルカメラプロセッサ５（以下プロセッサ５と略記する）を有している。鏡胴ユニット２は、ズーム光学系２Ａと、フォーカス光学系２Ｂと、絞りユニット２Ｃと、メカシャッタユニット２Ｄと、モータドライバ２Ｅとを有している。ズーム光学系２Ａは、ズームレンズ２Ａ−１と、ＺＯＯＭモータ２Ａ−２とを有している。フォーカス光学系２Ｂは、フォーカスレンズ２Ｂ−１と、ＦＯＵＣＳモータ２Ｂ−２とを有している。
【００２１】
絞りユニット２Ｃは、絞り２Ｃ−１と、絞りモータ２Ｃ−２とを有している。メカシャッタユニット２Ｄは、メカシャッタ２Ｄ−１と、メカシャッタモータ２Ｄ−２とを有している。上記モータドライバ２Ｅは、各モータ２Ａ−２、２Ｂ−２、２Ｃ−２、２Ｄ−２を駆動する。モータドライバ２Ｅは、後述するプロセッサ５内にあるＣＰＵブロック５Ｃからの駆動指令により駆動制御される。ＣＰＵブロック５Ｃは、リモコン受光部６の入力、操作Ｋｅｙユニット７の操作に応じてモータドライバ２Ｅの駆動制御を開始する。
【００２２】
撮像手段としてのＣＣＤ３は、光学画像を光電変換するための固体撮像素子であり、被写体を撮像してアナログの画像データを出力する。Ｆ／ＥＩＣ４は、ＣＤＳ４Ａと、ＡＧＣ４Ｂと、Ａ／Ｄ４Ｃと、ＴＧ４Ｄとを有している。ＣＤＳ４Ａは、ＣＣＤ３からの画像データに対して画像ノイズ除去用相関二重サンプリングを行う。ＡＧＣ４Ｂは、ＣＣＤ３からの画像データに対して利得調整を行う。Ａ／Ｄ４Ｃは、ＣＣＤ３からのアナログの画像データに対してデジタル信号変換を行う。ＴＧ４Ｄは、駆動タイミング信号を発生して上記ＣＣＤ３、ＣＤＳ４Ａ、ＡＧＣ４Ｂ及びＡ／Ｄ４Ｃに対して供給する。
【００２３】
プロセッサ５は、ＣＣＤ１信号処理ブロック５Ａ、ＣＣＤ２信号処理ブロック５Ｂ、ＣＰＵブロック５Ｃ、ＬｏｃａｌＳＲＡＭ５Ｄ、ＵＳＢブロック５Ｅ、シリアルブロック５Ｆ、ＪＰＥＧＣＯＤＥＣブロック５Ｇ、ＲＥＳＩＺＥブロック５Ｈ、ＴＶ信号表示ブロック５Ｉ及びメモリカードコントローラブロック５Ｊを有している。
【００２４】
ＣＣＤ１信号処理ブロック５Ａは、ＴＧ４Ｄに対して垂直同期信号（ＶＤ信号）、水平同期信号（ＨＤ信号）を供給する。ＴＧ４Ｄは、このＶＤ信号及びＨＤ信号に応じて駆動タイミング信号を発生する。ＣＣＤ１信号処理ブロック５Ａはまた、Ｆ／ＥＩＣ４から出力されるデジタルの画像データにホワイトバランス設定やガンマ設定を行う。
【００２５】
ＣＣＤ２信号処理ブロック５Ｂは、Ｆ／ＥＩＣ４から出力されるデジタルの画像データにフィルタリング処理を施し、輝度データ・色差データに変換する。ＣＰＵブロック５Ｃは、各ブロックの動作を制御するブロックである。ＬｏｃａｌＳＲＡＭ５Ｄは、ＣＰＵブロック５Ｃの制御に必要なデータを一時的に保存するメモリである。ＵＳＢブロック５Ｅは、ＵＳＢコネクタ８に接続されている。ＵＳＢブロック５Ｅは、ＵＳＢコネクタ８に接続されたＰＣなどの外部機器とＵＳＢ通信を行うブロックである。シリアルブロック５Ｆは、シリアルドライバ回路９を介してＲＳ−２３２Ｃコネクタ１０に接続されている。シリアルブロック５Ｆは、ＲＳ−２３２Ｃコネクタ１０に接続されたＰＣなどの外部機器とシリアル通信を行うブロックである。シリアルドライバ回路９は、シリアルブロック５Ｆから出力される信号を電圧変換するための回路である。
【００２６】
ＪＰＥＧＣＯＤＥＣブロック５Ｇは、Ｆ／ＥＩＣ４から出力されるデジタルの画像データに対してＪＰＥＧ圧縮・伸張を行うブロックである。ＲＥＳＩＺＥブロック５Ｈは、Ｆ／ＥＩＣ４から出力されるデジタルの画像データのサイズを補間処理により拡大／縮小するブロックである。
【００２７】
ＴＶ信号表示ブロック５Ｉは、ＬＣＤドライバ１１を介して表示手段としてのＬＣＤモニタ１２に接続されている。ＴＶ信号表示ブロック５Ｉは、ビデオＡＭＰ１３を介してビデオジャック１４に接続されている。ＴＶ信号表示ブロック５Ｉは、画像データをＬＣＤモニタ１２やビデオジャック１４に接続されたＴＶなどの外部表示機器に表示するためのビデオ信号に変換するブロックである。
【００２８】
ＬＣＤドライバ１１は、ＬＣＤモニタ１２を駆動するドライブ回路であり、ＴＶ信号表示ブロック５Ｉから出力されたビデオ信号をＬＣＤモニタ１２に表示するための信号に変換する機能も有している。ビデオＡＭＰ１３は、ＴＶ信号表示ブロック５Ｉから出力されたビデオ信号を７５Ωインピーダンスに変換するためのアンプである。
【００２９】
メモリカードコントローラブロック５Ｊは、外部入力端子としてのメモリカードスロットル１５に接続されている。メモリカードスロットル１５は、着脱可能なメモリカード１７を装着するためのスロットルである。メモリカードスロットル１５は、メモリカード１７以外に、着脱可能なＬＡＮカード、無線ＬＡＮカードや、ＢｌｕｅｔｏｏｔｈカードなどのＩＯカードも装着可能とする。撮像された画像データは、ＩＯカード経由で外部機器に転送することを可能とする。メモリカードコントローラブロック５Ｊは、メモリカードスロットル１５に装着されたメモリカード１７の制御を行うブロックである。
【００３０】
デジタルスチルカメラ１は、上記プロセッサ５に接続されたＢｌｕｅｔｏｏｔｈ回路１６、ＲＯＭ１８、ＲＡＭ１９、内蔵メモリ２０及びＳＤＲＡＭ２１を有する。Ｂｌｕｅｔｏｏｔｈ回路１６は、外部機器と無線通信を行うための無線通信回路で、撮影された画像データはＢｌｕｅｔｏｏｔｈ回路１６経由で外部機器に転送することが可能である。
【００３１】
ＲＯＭ１８には、ＣＰＵブロック５Ｃにて解読可能なコードで記述された制御プログラムや制御するためのパラメータが格納されている。このデジタルスチルカメラ１の電源がオン状態になると、前記プログラムは不図示のメインメモリにロードされ、ＣＰＵブロック５Ｃは、そのプログラムに従って装置各ブロックの動作を制御すると共に、制御に必要なデータなどを一時的にＲＡＭ１９及びＬｏｃａｌＳＲＡＭ５Ｄに保存する。
【００３２】
ＲＯＭ１８としては、書き換え可能なフラッシュＲＯＭを使用することで、制御プログラムや制御するためのパラメータを変更することが可能となり、機能のバージョンアップが容易に行える。内蔵メモリ２０は、メモリカードスロットル１５にメモリカード１７が装着されていない場合でも、撮影した画像データを記録できるようにするためのメモリである。
【００３３】
上述したＳＤＲＡＭ２１は、プロセッサ５で画像データに各種処理を施す際に、画像データを一時的に保存する。保存される画像データは、例えばＣＣＤ３からＦ／ＥＩＣ４を経由して取り込んで、ＣＣＤ１信号処理ブロック５Ａでホワイトバランス設定、ガンマ設定が行われた状態の「ＲＡＷ−ＲＧＢ画像データ」やＣＣＤ２信号処理ブロック５Ｂで輝度データ・色差データ変換が行われた状態の「ＹＵＶ画像データ」、ＪＰＥＧＣＯＤＥＣブロック５ＧでＪＰＥＧ圧縮された「ＪＰＥＧ画像データ」などである。
【００３４】
また、上記デジタルスチルカメラ１は、ＳＵＢ−ＣＰＵ２２を有している。ＳＵＢ−ＣＰＵ２２は、ＲＯＭ・ＲＡＭをワンチップに内蔵したＣＰＵである。ＳＵＢ−ＣＰＵ２２は、上述したリモコン受光部６、操作Ｋｅｙユニット７、ＡＦＬＥＤ２３、ストロボＬＥＤ２４、ブザー２５に接続されている。ＳＵＢ−ＣＰＵ２２は、ＬＣＤドライバ２６を介してサブＬＣＤ２７に接続されている。ＳＵＢ−ＣＰＵ２２は、操作Ｋｅｙユニット７やリモコン受光部６の出力信号をユーザーの操作情報として、上記ＣＰＵブロック５Ｃに出力したり、前述したＣＰＵブロック５Ｃにより出力されるカメラの状態をサブＬＣＤ２７、ＡＦＬＥＤ２３、ストロボＬＥＤ２４、ブザー２５の制御信号に変換して出力する。
【００３５】
サブＬＣＤ２７は、例えば撮影可能枚数など表示するための表示部である。ＬＣＤドライバ２６は、上記サブＬＣＤ２７を駆動するためのドライブ回路である。ＡＦＬＥＤ２３は、撮影時の合焦状態を表示するためのＬＥＤであり、ストロボＬＥＤ２４は、ストロボ充電状態を表示するためのＬＥＤである。なお、このＡＦＬＥＤ２３とストロボＬＥＤ２４をメモリカード１７にアクセス中などの別の表示用途に使用してもよい。
【００３６】
操作Ｋｅｙユニット７は、ユーザーが操作するＫｅｙ回路であり、リモコン受光部６は、ユーザーが操作したリモコン受信機の信号の受信部である。ＣＰＵブロック５Ｃは、音声記録ユニット２８、音声再生ユニット２９に接続されている。音声記録ユニット２８は、ユーザーが音声データを入力するマイク２８Ａ、入力された音声データを増幅するマイクＡＭＰ２８Ｂ及び増幅された音声データを記録する音声記録回路２８Ｃを有している。音声再生ユニット２９は、記録された音声データをスピーカー２９Ｃから出力できる信号に変換する音声再生回路２９Ａ、変換された音声データを増幅するオーディオＡＭＰ２９Ｂ及び音声データを出力するスピーカー２９Ｃを有している。
【００３７】
デジタルスチルカメラ１は、ＣＰＵブロック５Ｃに接続された測距回路３０、ストロボ回路３１及びストロボ発光部３２を有している。測距回路３０は、被写体までの距離を測距する回路である。ストロボ回路３１は、ＣＰＵブロック５Ｃの制御に応じてストロボ発光部３２を発光させる回路である。ＣＰＵブロック５Ｃは、測距回路３０が測距した距離に応じてストロボ発光部３２の発光量を決定する。
【００３８】
次に、上述した構成のデジタルスチルカメラ１の動作について説明する。上述したデジタルスチルカメラは、設定モード、記号認識モード、及び、メモ撮影モードに切り替わることができる。設定モードとは、バーコード画像に含まれる記号とカメラメモデータ（付加情報）との対応付けをユーザーが設定できるモードである。記号認識モードとは、バーコード画像を撮像してバーコード画像に含まれる記号を認識するモードである。メモ撮影モードとは、被写体を撮像して得た画像データに、記号認識モードで認識した記号に対応するカメラメモデータを付加して記録するモードである。
【００３９】
まず、デジタルスチルカメラ１の動作を説明する前に、図２を参照して上記カメラメモデータのメモリ構造について説明する。同図（Ａ）に示すように、カメラメモデータのメモリ構造は、最大５つのカテゴリーデータ（項目）を格納できるカテゴリーエリアＣＡ１〜ＣＡ５を有している。このカテゴリーエリアＣＡ１〜ＣＡ５は各々、最大データ長が例えば３２ｂｙｔｅとなっている。
【００４０】
また、同図（Ｂ）に示すように、カメラメモデータのメモリ構造は、５つのカテゴリーエリアＣＡ１〜ＣＡ５に対応付けられて設けられたカメラメモリストエリアＬＡ１〜ＬＡ５を有している。カメラメモリストエリアＬＡ１〜ＬＡ５には各々、テンポラリーメモリエリアＴＡ１…と、カメラメモエリアＡ１１〜Ａ１５０…とが設けられている。テンポラリーメモリエリアＴＡ１…は、ユーザーが操作Ｋｅｙユニット７を用いて入力したカメラメモデータを一時的に記憶するエリアである。カメラメモエリアＡ１１〜Ａ１５０…は、メモリカード１７を経由して入力された最大５０個のカメラメモデータが格納されるエリアである。このカメラメモエリアＡ１１〜Ａ１５０は各々、最大データ長が例えば３２ｂｙｔｅとなっている。
【００４１】
また、同図（Ｃ）に示すように、カメラメモデータのメモリ構造は、５つのカテゴリーエリアＣＡ１〜ＣＡ５に対応付けられて設けられたサウンドメモエリアＳＡ１〜ＳＡ５を有している。サウンドメモエリアＳＡ１〜ＳＡ５は、音声記録ユニット２８を用いて記録した例えばＰＣＭ形式の音声データが格納されるエリアである。このサウンドメモエリアＳＡ１〜ＳＡ５は各々、最大データ長が例えば６４Ｋｂｙｔｅとなっている。図２に示すようなカメラメモデータのメモリ構造は、例えばＲＡＭ１９内に設けられている。
【００４２】
次に、メモリカード１７を経由して上記カテゴリーエリアＣＡ１〜ＣＡ５にカテゴリーデータを、カメラメモエリアＡ１１〜Ａ１５０…にカメラメモデータを格納する方法について説明する。まず、ユーザーはＰＣなどを使って図３に示すようなカテゴリーデータ、カメラメモデータのテキストデータを作成してメモリカード１７に格納する。図中、//
**〜//**５がカテゴリーデータを示す文字列である。本実施形態では、複数のカメラメモデータは５つのカテゴリーデータ（会社名、所属事業部、所属部署、担当業務、担当）に分類されている。会社名のカテゴリデータは、会社Ａ〜会社Ｉから成るカメラメモデータで構成されている。所属事業部のカテゴリーデータは、事業部Ｊ〜事業部Ｌから成るカメラメモデータで構成されている。所属部署のカテゴリーデータは、所属部Ｍ、所属部Ｎから成るカメラメモデータで構成されている。担当業務のカテゴリーデータには、業務Ｏ〜業務Ｑから成るカメラメモデータで構成されている。担当者のカテゴリーデータは、角田…奈須から成るカメラメモデータで構成されている。
【００４３】
上述したカテゴリーデータ、カメラメモデータのテキストデータを格納したメモリカード１７をメモリカードスロットル１５に装着して、デジタルスチルカメラ１の電源をオンするとＣＰＵブロック５Ｃは、付加情報格納手段として働き、図３に示すテキストデータ中のカテゴリーデータ（会社名、所属事業部、所属部署、担当業務、担当）をＲＡＭ１９内に設けたカテゴリーエリアＣＡ１〜ＣＡ５（図２（Ａ）参照）に格納する。
【００４４】
また、ＣＰＵブロック５Ｃは、会社名のカテゴリーデータを構成する会社名Ａ〜会社名ＩのカメラメモデータをカメラメモリストエリアＬＡ１のカメラメモエリアＡ１１〜Ａ１５０に順番に格納する。ＣＰＵブロック５Ｃは、所属事業部のカテゴリーデータを構成する事業部Ｊ〜事業部ＬのカメラメモデータをカメラメモリストエリアＬＡ２のカメラメモエリアに順番に格納する。ＣＰＵブロック５Ｃは、所属部署のカテゴリーデータを構成する所属部Ｍ、所属部ＮのカメラメモデータをカメラメモリストエリアＬＡ３のカメラメモエリアに順番に格納する。ＣＰＵブロック５Ｃは、担当業務のカテゴリーデータを構成する業務Ｏ〜業務ＱのカメラメモデータをカメラメモリストエリアＬＡ４のカメラメモエリアに順番に格納する。ＣＰＵブロック５Ｃは、担当のカテゴリーデータを構成する角田…奈須のカメラメモデータをカメラメモリストエリアＬＡ５のカメラメモエリアに順番に格納する。これにより、ＲＡＭ１９内には、複数のカメラメモデータが複数のカテゴリー（項目）に分類されて格納される。
【００４５】
また、操作Ｋｅｙユニット７を操作して入力モードに設定すると、ＣＰＵブロック５Ｃは、付加情報格納手段として働き、操作Ｋｅｙユニット７の操作によって入力されたカメラメモ情報をテンポラリーメモエリアＴＡ１…に格納する。以上のことから明らかなように操作Ｋｅｙユニット７は入力操作手段として働く。
【００４６】
次に、設定モードにおけるデジタルスチルカメラ１の動作について図４を参照して説明する。図４は、設定モード処理におけるＣＰＵブロック５Ｃの処理手順を示すフローチャートである。まず、操作Ｋｅｙユニット７によってユーザが設定モードに切り替えると、ＣＰＵブロック５Ｃは、設定モード処理を開始する。設定モード処理においてＣＰＵブロック５Ｃは、まず最初に自動的に記号認識モードに切り替わってバーコード撮影処理を行う（ステップＳ１）。バーコード撮影処理において、ＣＰＵブロック５Ｃは、図示しないマクロスイッチが操作されるとマクロモードに自動的に移動してズームレンズ２Ａ−１をマクロ位置に移動させた後、フォーカスレンズ２Ｂ−１を駆動してオートフォーカスを実行する。
【００４７】
合焦するとＣＰＵブロック５Ｃは、鏡胴ユニット２を通して取り込んだバーコード画像をＣＣＤ３によって光電変換し画像データとして出力する。ＣＣＤ３から出力される画像データは、Ｆ／ＥＩＣ４、ＣＣＤ１信号処理ブロック５Ａ、ＣＣＤ２信号処理ブロック５Ｂの順で必要な処理を施された後、輝度データ・色差データとしてＳＤＲＡＭ２１に取り込まれる。なお、指定時間経過しても合焦できない場合、ＣＰＵブロック５Ｃは、マクロモードを解除し、ズームレンズ２Ａ−１を元の位置に復帰して、オートフォーカスを実行する。
【００４８】
取り込まれる輝度データ・色差データの解像度は、例えばデジタルスチルカメラ１の場合、スルー画では５１２×２５６であったり、動画では３６０×３５０であったり、静止画では２０４８×１５３６であったりする。取り込まれる輝度データ・色差データの取り込み周期は、スルー画では１５ｆｐｓあったり、動画では３０ｆｐｓであったりする。本実施形態では、例えば、５１２×２５６のＹＵＶデータを１５ｆｐｓでＳＤＲＡＭ２１に連続的に取り込み、ＴＶ信号表示ブロック５Ｉに出力して、ＬＣＤモニタ１２に映像出力する。
【００４９】
その後、ＣＰＵブロック５Ｃは、記号認識手段として働き、コード読取処理を行う（ステップＳ２）。コード読取処理においてＣＰＵブロック５Ｃは、取り込まれた輝度データ・色差データを使って、バーコード画像のフォーマットに従ってデコード処理を実行し、バーコード画像に含まれる記号を読み取る。コード読取処理が終了するとＣＰＵブロック５Ｃは、読み取りＯＫ音を鳴らす。ユーザーが、バーコード画像を被写体として撮像し、上記コード読取処理によりバーコード画像に含まれる記号を読み取ることができると、ＣＰＵブロック５Ｃは次のステップＳ３に進む。
【００５０】
その後、ＣＰＵブロック５Ｃは、設定手段として働き、設定処理を行う（ステップＳ３）。設定処理において、ＣＰＵブロック５Ｃはまず、第１表示制御手段として働き、図５（Ａ）に示すようにＲＡＭ１９内に設けたカテゴリーエリアＣＡ１〜ＣＡ５に格納された複数のカテゴリーデータ（Category1〜Category5）をＬＣＤモニタ１２上に並べて表示する。ＣＰＵブロック５Ｃは、図５（Ａ）に示すように各カテゴリーデータに関連付けられたカメラメモデータの一つ（Camera Memo01,Camera Memo23, Camera Memo32, Camera Memo14）をカテゴリーデータの横に並べて表示する。なお、本実施形態では、Category1〜Category5として、会社名、所属事業部、所属部署、担当業務、担当の５つが表示される。
【００５１】
次に、ＣＰＵブロック５Ｃは、第２表示制御手段として働き、ユーザーが操作Ｋｅｙユニット７の操作によってカテゴリーデータの一つを選択すると、その選択されたカテゴリーデータを構成するカメラメモデータ（Camera Memo01〜50）がＬＣＤモニタ１２上に並べて表示される（図５（Ｂ））。本実施形態では、例えば、会社名のカテゴリーデータが選択されると、会社Ａ〜会社Ｉのカメラメモデータが並べて表示される。
【００５２】
また、ＣＰＵブロック５Ｃは、選択されたカテゴリーデータに関連付けられたテンポラリーメモリエリアＴＡ１に格納されたカメラメモデータ（+TEMPORARY）と、サウンドメモエリアＳＡ１に格納された音声データ（!RECORD）とをさらに並べて表示する。即ち、ユーザーが図中Category1を選択すると、図中Camera Memos of Category1が表示され、図中Category2を選択すると、図中Camera Memos of Category2が表示される。
【００５３】
上記表示によりユーザーは、カテゴリーデータ毎にカメラメモデータ、音声データなどを選択することができる。ＣＰＵブロック５Ｃは、カテゴリーデータ毎に選択されたカメラメモデータをステップＳ２で読み取ったバーコード記号に対応させる。ユーザの操作Ｋｅｙユニット７の操作によって設定終了操作が行われると、ＣＰＵブロック５Ｃは、設定処理を終了する。以上のことから明らかなように、設定処理において操作Ｋｅｙユニット７は、設定操作手段として働く。
【００５４】
次に、メモ撮影モードにおけるデジタルスチルカメラ１の動作について図６を参照して以下説明する。図６は、メモ撮影モード処理におけるＣＰＵブロック５Ｃの処理手順を示すフローチャートである。まず、操作Ｋｅｙユニット７によってメモ撮影モードに切り替えられると、ＣＰＵブロック５Ｃは、メモ撮影モード処理を開始する。メモ撮影モード処理においてＣＰＵブロック５Ｃは、まず最初に自動的に記号認識モードに切り替わってバーコード撮影処理、コード読取処理を行う（ステップＳ５、Ｓ６）。バーコード撮影処理、コード読取処理については図４ですでに説明したのでここではその詳細な説明は省略する。
【００５５】
ＣＰＵブロック５Ｃは、コード読取処理が終了してバーコード画像の記号を認識すると、認識した記号に対応するカメラメモデータをＲＡＭ１９内から読み出して、読み出したカメラメモデータをＬＣＤモニタ１２に表示させるカメラメモデータ表示処理（ステップＳ７）を行う。その後、ＣＰＵブロック５Ｃは、シャッタが押されるのを待って（ステップＳ８でＹ）、撮像処理を行う。撮像処理において、ＣＰＵブロック５Ｃは、ＣＣＤ３、Ｆ／ＥＩＣ４、ＣＣＤ１信号処理ブロック５Ａ、ＣＣＤ２信号処理ブロック５Ｂなどを制御してＣＣＤ３が撮像した画像データを取り込む。
【００５６】
その後、ＣＰＵブロック５Ｃは、付加手段として働き、画像データのヘッダーにステップＳ７で読み出したカメラメモデータを付加する付加処理を行う（ステップＳ９）。次に、ＣＰＵブロック５Ｃは、記録手段として働き、ＪＰＥＧＣＯＤＥＣブロック５Ｇを制御してカメラメモデータを付加した画像データをＳＤＲＡＭ２１に記録する記録処理を行って（ステップＳ１１）、再びステップＳ８に戻る。
【００５７】
上述したデジタルスチルカメラ１によれば、設定処理においてＣＰＵブロック５Ｃが、操作ｋｅｙユニット７の操作に応じて、バーコード画像に含まれる記号とカメラメモユニットとの対応付けを設定するので、バーコード画像に含まれる記号とカメラメモデータとの対応を自由に設定することができる。
【００５８】
上述したデジタルスチルカメラ１によれば、設定処理においてＣＰＵブロック５Ｃが、バーコード画像に含まれる記号と操作Ｋｅｙユニット７の操作により各カテゴリーデータ毎に選択されたカメラメモデータとを対応付けて設定するので、複数のカテゴリーデータ毎に選択することができ簡単な操作で認識した記号とカメラメモデータとの対応を設定することができる。
【００５９】
上述したデジタルスチルカメラ１によれば、設定処理においてＣＰＵブロック５Ｃが、複数のカテゴリーデータをＬＣＤモニタ１２上に並べて表示し、選択されたカテゴリーデータを構成するカメラメモデータをＬＣＤモニタ１２上に並べて表示するので、より一層、簡単な操作で認識した記号とカメラメモデータとの対応を設定することができる。
【００６０】
上述したデジタルスチルカメラ１によれば、ＣＰＵブロック５Ｃが、メモリカードスロットル１５からの複数のカメラメモデータを入力してＲＡＭ１９内に格納するので、ＰＣなどを使って簡単にカメラメモデータを入力することができる。
【００６１】
上述したデジタルスチルカメラ１によれば、ＣＰＵブロック５Ｃが操作Ｋｅｙユニット７の操作によって入力されたカメラメモデータをテンポラリーデータエリアＡＴ１に格納するものであるので、操作Ｋｅｙユニット７の操作によってＰＣなどの外部機器を使わずにカメラメモデータを入力することができる。
【００６２】
また、上述したデジタルスチルカメラ１によれば、図３に示すようにカメラメモデータがテキストデータであるので、特別なアプリケーションを必要とせずに簡単にカメラメモデータを入力することができる。
【００６３】
なお、上述した実施形態では、撮像装置としてデジタルスチルカメラを用いていたが、本発明はこれに限ったものではない。例えば、携帯電話や、ＰＤＡ携帯情報端末などに適用してもよい。
【００６４】
また、上述した実施形態では、メモ撮影モードでは撮影する毎に毎回、カメラメモデータを付加していたが、本発明はこれに限ったものではない。例えば、操作Ｋｅｙユニット７の操作によって、撮影毎に毎回カメラメモデータを付加するか否かの設定を行うか、撮影毎に毎回カメラメモデータを付加するか、いずれかを選択できるようにしてもよい。ＣＰＵブロック５Ｃは、撮影毎に毎回カメラメモデータを付加するか否かの設定を行う方が選択されると、シャッタが押される毎にカメラメモデータを付加するか否かの表示を行う。
【００６５】
そして、操作Ｋｅｙユニット７により付加するが設定されると、画像データにカメラメモデータを付加し、付加しないが設定される画像データにカメラメモデータを付加しない。これに対して、撮影毎に毎回カメラメモデータを付加するが選択されている場合、シャッタが押される毎にカメラメモデータが付加されるか否かの表示は行うことなく画像データにカメラメモデータを付加する。
【００６６】
また、上述した実施形態では、カメラメモデータはカテゴリー毎に分類分けされていたが、本発明はこれに限ったものではなく、分類分けされていなくてもよい。
【００６７】
また、上述した実施形態では、メモリカード１７に格納したカテゴリーデータ、カメラメモデータを用いていたが、本発明はこれに限ったものではない。例えば、内蔵メモリ２０に元々格納されたカテゴリーデータ、カメラメモデータを用いてもよい。
【００６８】
また、上述した実施形態では、ＰＣでユーザが入力したカテゴリーデータ、カメラメモデータをメモリカード１７経由でデジタルスチルカメラ１内のメモリに格納していたが、本発明はこれに限ったものではない。例えば、ＰＣをＵＳＢコネクタ８やＲＳ−２３２Ｃコネクタ１０に接続して、ＰＣでユーザが入力したカテゴリーデータ、カメラメモデータをＵＳＢコネクタ８やＲＳ−２３２Ｃコネクタ１０経由でデジタルスチルカメラ１内に格納してもよい。
【００６９】
なお、本発明は上記実施形態に限定されるものではない。即ち、本発明の骨子を逸脱しない範囲で種々変形して実施することができる。
【図面の簡単な説明】
【００７０】
【図１】本発明の撮像装置としてのデジタルスチルカメラの一実施形態を示すブロック図である。
【図２】カメラメモデータのメモリ構造を説明するための図である。
【図３】カテゴリーデータ、カメラメモデータのテキストデータを示す図である。
【図４】設定モード処理におけるＣＰＵブロックの処理手順を示すフローチャートである。
【図５】図４のステップＳ３の設定処理でＬＣＤモニタに表示される画像を示す図である。
【図６】メモ撮影モードにおけるＣＰＵブロックの処理手順を示すフローチャートである。
【符号の説明】
【００７１】
３    ＣＣＤ（撮像手段）
５Ｃ  ＣＰＵブロック（付加情報格納手段、記号認識手段、設定手段、第１表示制御手段、第２表示制御手段、付加手段、記録手段）
７    操作Ｋｅｙユニット（入力操作手段、設定操作手段、選択操作手段）
１２  ＬＣＤモニタ（表示手段）
１５  メモリカードスロットル（外部入力端子）
【図１】
2008078817.tif 000003
【図２】
2008078817.tif 000004
【図３】
2008078817.tif 000005
【図４】
2008078817.tif 000006
【図５】
2008078817.tif 000007
【図６】
2008078817.tif 000008